(57)【要約】【課題】冊子状原稿の複写を行う場合に容易に原稿と同じ冊子を出力可能な画像形成システム及び画像形成システムを制御するプログラムを得る。【解決手段】画像形成された本身用紙の束を表紙用紙でコの字状に覆うことにより冊子を作成する画像形成システムであって、入力手段Ａ４から入力された冊子情報に基づいて冊子状原稿の表紙と本身の読み取りを行い、読み取った画像データを冊子情報と関連づけて記憶手段１０６Ａに記憶させる制御手段と、を有することを特徴とする画像形成システムとする。【選択図】図１１
2008011024.tif 000002
【特許請求の範囲】
【請求項１】
各種の入力がなされる入力手段と、
冊子状原稿を読み取り可能な画像読取手段と、
読み取った画像データを記憶可能な記憶手段と、
本身用紙及び表紙用紙に画像データに基づいて画像形成を行う画像形成手段と、
画像形成された本身用紙の束を表紙用紙でコの字状に覆うことにより冊子を作成する製本装置と、
前記入力手段から、冊子状原稿の読み取り条件の設定および、製本装置の出力条件の設定が可能であり、前記読み取り条件の設定に基づいて前記出力条件を決定する出力条件決定手段と、
を有することを特徴とする画像形成システム。
【請求項２】
各種の入力がなされる入力手段と、
冊子状原稿を読み取り可能な画像読取手段と、
読み取った画像データを記憶可能な記憶手段と、
本身用紙及び表紙用紙に画像データに基づいて画像形成を行う画像形成手段と、
画像形成された本身用紙の束を表紙用紙でコの字状に覆うことにより冊子を作成する製本装置と、
前記入力手段から、冊子状原稿の読み取り条件の設定および、製本装置の出力条件の設定が可能であり、前記読み取り条件の設定と前記出力条件の設定との整合性の有無を判断する整合性判断手段と、を有することを特徴とする画像形成システム。
【請求項３】
前記整合性判断手段により、前記読み取り条件の設定と前記出力条件の設定とに整合性がないと判断された場合には、警告表示を行うことを特徴とする請求項２に記載の画像形成システム。
【請求項４】
本身用紙及び表紙用紙に画像データに基づいて画像形成を行う画像形成手段を有し、
画像形成された本身用紙の束を表紙用紙でコの字状に覆うことにより冊子を作成する画像形成システムであって、
冊子状原稿を読み取り可能な画像読取手段と、
読み取った画像データを記憶可能な記憶手段と、
各種の入力がなされる入力手段と、
前記入力手段から入力された冊子情報に基づいて冊子状原稿の表紙と本身の読み取りを行い、読み取った画像データを冊子情報と関連づけて前記記憶手段に記憶させる制御手段と、を有することを特徴とする画像形成システム。
【請求項５】
前記冊子情報は、冊子状原稿の見開きページ情報及び綴じ方向情報であり、
前記制御手段は見開きページ情報及び綴じ方向情報に基づいて冊子状原稿を右半分、左半分の２ページ分の画像データとして前記記憶手段に記憶させることを特徴とする請求項４に記載の画像形成システム。
【請求項６】
前記入力手段から入力された冊子情報に基づいて冊子を作成することを特徴とする請求項４又は５に記載の画像形成システム。
【請求項７】
前記冊子情報は、冊子状原稿の厚み情報であり、
前記制御手段は厚み情報に基づいて冊子状原稿の表紙の読み取りサイズを決定することを特徴とする請求項４又は５に記載の画像形成システム。
【請求項８】
本身用紙及び表紙用紙に画像データに基づいて画像形成を行う画像形成手段を有し、
画像形成された本身用紙の束を表紙用紙でコの字状に覆うことにより冊子を作成する画像形成システムを制御するための制御プログラムであって、
前記画像形成システムは、
冊子状原稿を読み取り可能な画像読取手段と、
読み取った画像データを記憶可能な記憶手段と、
各種の入力がなされる入力手段と、を有し
前記入力手段から入力された冊子情報に基づいて冊子状原稿の表紙と本身の読み取りを行い、読み取った画像データを冊子情報と関連づけて前記記憶手段に記憶する制御を実行することを特徴とする制御プログラム。
【請求項９】
前記冊子情報は、冊子状原稿の見開きページ情報及び綴じ方向情報であり、
前記制御プログラムは見開きページ情報及び綴じ方向情報に基づいて冊子状原稿を右半分、左半分の２ページ分の画像データとして前記記憶手段に記憶させる制御を実行することを特徴とする請求項８に記載の制御プログラム。
【発明の詳細な説明】
【技術分野】
【０００１】
本発明は、用紙束を表紙でコの字状に覆い製本する画像形成システムに関し、特に冊子状原稿を複写する画像形成システム及び画像形成システムを制御するための制御プログラムに関する。
【背景技術】
【０００２】
従来、複写機、ファクシミリ、プリンタ等の電子写真方式の画像形成装置において、本や雑誌などの冊子状原稿の複写を行う場合がある。
【０００３】
冊子状原稿の読み取り方式としては、２ページ分の見開き原稿を１回のスキャンで左右１ページに別々に読み取りをする機能として、所謂ページ連写機能を備えたものが一般に知られている。
【０００４】
従来知られているページ連写機能の具体的な例を図を用いて説明する。図１６は、ページ連写機能を用いて読みとった冊子状原稿と画像データとの関係を示す説明図である。図１６（ａ）は左綴じ（左開きともいう）の冊子状原稿、図１６（ｂ）は右綴じ（右開きともいう）の冊子状原稿である。
【０００５】
図１６（ｃ）は図１６（ａ）、図１６（ｂ）の冊子状原稿をページ１とページ２、ページ３とページ４、ページＮ−１とページＮをそれぞれ見開いた状態で原稿台に載せ各々１回のスキャンによりページ１からページＮまでを別々の画像データとして読み取りをした状態を示す図である。同図に示すようにページ連写を用いるとＮページの冊子原稿に対してＮ／２回のスキャンでＮページの画像データを得ることができる。
【０００６】
また冊子状原稿の出力方式としては、複写機やプリンタ等で画像を形成した複数枚の用紙の束（本身用紙ともいう）を表紙用紙でコの字状にくるみ、用紙の束の背部と表紙用紙を糊付けすることにより簡易的にくるみ製本処理を行う画像形成システムが知られている（特許文献１参照）。
【０００７】
製本装置により形成された本の一例を図１７に示す。図１７（ａ）は表紙用紙Ｓ２が折られていない状態を示し、図１７（ｂ）は表紙用紙Ｓ２が折られた状態を示す。Ｓ３は複数枚の本身用紙Ｓ１の束と表紙用紙Ｓ２により構成されており、本身用紙Ｓ１の束を表紙用紙Ｓ２でコの字状に覆うような形態になっている。Ｓ３のような形態をくるみ本ともいう。表紙用紙Ｓ２は図１７（ａ）に示すようにオモテ表紙領域Ｆと背表紙領域Ｓとウラ表紙領域Ｂ、オモテ表紙の外側Ｆ１、オモテ表紙の内側Ｆ２、ウラ表紙の外側Ｂ１、ウラ表紙の内側Ｂ２を有する。
【特許文献１】特開２００４−２０９８６９号公報
【発明の開示】
【発明が解決しようとする課題】
【０００８】
くるみ製本処理を行う画像形成システムにおいて冊子状原稿の複写を行う場合に、出力として、冊子状原稿と同じ出力を得ることが目的となる場合がある。
【０００９】
しかし、従来のページ連写機能を用いた場合には表紙の読み取りが適正に行えないという問題がある。つまり厚みがある冊子状原稿に対しては背表紙を含めた表紙の出力が出来ないという問題と、表紙の内側に対して適正に画像を配置することが困難であるという問題である。
【００１０】
また特許文献１記載の画像形成システムではページ連写機能とくるみ製本処理を組み合わせて行う場合に、双方の条件設定を合わせないと正しい出力を行えないという問題と、条件設定を行うことが煩わしいという問題がある。
【００１１】
本発明は上記問題に鑑み、冊子状原稿の複写を行う場合に容易に原稿と同じ冊子を出力可能な画像形成システム及び画像形成システムを制御するプログラムを得ることを目的とするものである。
【課題を解決するための手段】
【００１２】
１．各種の入力がなされる入力手段と、冊子状原稿を読み取り可能な画像読取手段と、読み取った画像データを記憶可能な記憶手段と、本身用紙及び表紙用紙に画像データに基づいて画像形成を行う画像形成手段と、画像形成された本身用紙の束を表紙用紙でコの字状に覆うことにより冊子を作成する製本装置と、前記入力手段から、冊子状原稿の読み取り条件の設定および、製本装置の出力条件の設定が可能であり、前記読み取り条件の設定に基づいて前記出力条件を決定する出力条件決定手段と、を有することを特徴とする画像形成システム。
２．各種の入力がなされる入力手段と、冊子状原稿を読み取り可能な画像読取手段と、読み取った画像データを記憶可能な記憶手段と、本身用紙及び表紙用紙に画像データに基づいて画像形成を行う画像形成手段と、画像形成された本身用紙の束を表紙用紙でコの字状に覆うことにより冊子を作成する製本装置と、前記入力手段から、冊子状原稿の読み取り条件の設定および、製本装置の出力条件の設定が可能であり、前記読み取り条件の設定と前記出力条件の設定との整合性の有無を判断する整合性判断手段と、を有することを特徴とする画像形成システム。
３．前記整合性判断手段により、前記読み取り条件の設定と前記出力条件の設定とに整合性がないと判断された場合には、警告表示を行うことを特徴とする２に記載の画像形成システム。
４．本身用紙及び表紙用紙に画像データに基づいて画像形成を行う画像形成手段を有し、画像形成された本身用紙の束を表紙用紙でコの字状に覆うことにより冊子を作成する画像形成システムであって、冊子状原稿を読み取り可能な画像読取手段と、読み取った画像データを記憶可能な記憶手段と、各種の入力がなされる入力手段と、前記入力手段から入力された冊子情報に基づいて冊子状原稿の表紙と本身の読み取りを行い、読み取った画像データを冊子情報と関連づけて前記記憶手段に記憶させる制御手段と、を有することを特徴とする画像形成システム。
５．前記冊子情報は、冊子状原稿の見開きページ情報及び綴じ方向情報であり、前記制御手段は見開きページ情報及び綴じ方向情報に基づいて冊子状原稿を右半分、左半分の２ページ分の画像データとして前記記憶手段に記憶させることを特徴とする４に記載の画像形成システム。
６．前記入力手段から入力された冊子情報に基づいて冊子を作成することを特徴とする４又は５に記載の画像形成システム。
７．前記冊子情報は、冊子状原稿の厚み情報であり、前記制御手段は厚み情報に基づいて冊子状原稿の表紙の読み取りサイズを決定することを特徴とする４又は５に記載の画像形成システム。
８．本身用紙及び表紙用紙に画像データに基づいて画像形成を行う画像形成手段を有し、画像形成された本身用紙の束を表紙用紙でコの字状に覆うことにより冊子を作成する画像形成システムを制御するための制御プログラムであって、前記画像形成システムは、冊子状原稿を読み取り可能な画像読取手段と、読み取った画像データを記憶可能な記憶手段と、各種の入力がなされる入力手段と、を有し前記入力手段から入力された冊子情報に基づいて冊子状原稿の表紙と本身の読み取りを行い、読み取った画像データを冊子情報と関連づけて前記記憶手段に記憶する制御を実行することを特徴とする制御プログラム。
９．前記冊子情報は、冊子状原稿の見開きページ情報及び綴じ方向情報であり、前記制御プログラムは見開きページ情報及び綴じ方向情報に基づいて冊子状原稿を右半分、左半分の２ページ分の画像データとして前記記憶手段に記憶させる制御を実行することを特徴とする８に記載の制御プログラム。
【発明の効果】
【００１３】
本発明によれば、冊子状原稿の複写を行う場合に容易に原稿と同じ冊子を出力可能な画像形成システム及び画像形成システムを制御するための制御プログラムを得ることが可能となる。
【発明を実施するための最良の形態】
【００１４】
図１は、画像形成システムの中央断面図である。
【００１５】
画像形成システムは画像形成装置Ａ及び製本装置（くるみ製本装置ともいう）Ｂを有する。画像形成装置Ａは電子写真方式により用紙に画像を形成するものであり、画像形成手段Ａ１、画像読取手段Ａ３０、を有する。
【００１６】
画像形成手段Ａ１において、１はドラム状の感光体、２は感光体１を一様に帯電する帯電装置、３は帯電された感光体１を像露光する露光装置、４は露光され静電潜像が形成された感光体１を現像してトナー像を形成する現像装置、５Ａは感光体１上に形成されたトナー像を用紙に転写する転写装置、５Ｂは用紙を感光体１から分離する分離装置、６は感光体１をクリーニングするクリーニング装置、８は用紙上のトナー像を加熱定着する定着装置である。
【００１７】
感光体１が時計方向に回転し、帯電、露光及び現像により感光体１上にトナー像が形成され、像形成と同期して搬送された本身用紙Ｓ１、表紙用紙Ｓ２にトナー像が転写され、転写されたトナー像が定着されて用紙上に画像が形成される。像転写後の感光体１はクリーニング装置６によりクリーニングされる。
【００１８】
くるみ製本処理を行う場合に表紙用紙Ｓ２にくるまれる本身用紙Ｓ１は２つの給紙トレイ７Ａに収納されており、表紙用紙Ｓ２は給紙トレイ７Ｂと製本装置Ｂの表紙収納部８０に収納されている。給紙トレイ７Ａ、７Ｂから本身用紙Ｓ１、表紙用紙Ｓ２が１枚ずつ排出され、画像形成手段Ａ１へ搬送される。トナー像が転写された本身用紙Ｓ１、表紙用紙Ｓ２は定着装置８を通過して定着処理される。定着処理された本身用紙Ｓ１、表紙用紙Ｓ２は、排紙ローラ７Ｃから画像形成装置Ａの外へ排出される。
【００１９】
製本装置Ｂは画像形成装置Ａから送り込まれた本身用紙Ｓ１を複数枚束ねて用紙の束とし、当該束に表紙用紙Ｓ２を接合して表紙により用紙の束をコの字状に覆い、冊子を作成する。製本装置Ｂは用紙反転部４０、集積部５０、塗布部６０、断裁部７０、用紙束に表紙を接合する接合部９０を有し、更に搬送部１０、排紙皿２０、表紙収納部８０、本排出部１１０を有する。画像形成装置Ａから製本装置Ｂへ搬送されてきた本身用紙Ｓ１は、搬送部１０に設けられた切り替えゲート１１により、排出路１２を経て排紙皿２０に排出されるか又は用紙反転部４０に搬送される。排紙皿２０には、製本装置Ｂにおいてくるみ製本処理しない場合に本身用紙Ｓ１が排出される。製本装置Ｂにおいてくるみ製本処理を実行する場合、本身用紙Ｓ１は搬送路１３を経て用紙反転部４０に搬送され、用紙反転部４０においてスイッチバックした後に、集積部５０に搬送される。集積部５０において設定枚数の本身用紙Ｓ１が集積され、本身用紙Ｓ１が設定枚数に到達すると集積部５０が回転し、本身用紙Ｓ１の束がほぼ垂直状態で保持される。そして本身用紙Ｓ１の束の背部である下面に塗布部６０によって接着剤が塗布され、本身用紙Ｓ１の束に表紙用紙Ｓ２が接触し接着される。本身用紙Ｓ１の束に表紙用紙Ｓ２が接着されて作成されたくるみ本Ｓ３は本排出部１１０に排出される。表紙用紙Ｓ２が大きすぎる場合には断裁部７０で適正な長さになるよう断裁を行う。
【００２０】
画像読取手段Ａ３０では冊子状原稿ＢＦの読み取りを行う。原稿台Ａ３１に載置された冊子状原稿ＢＦは原稿画像走査露光装置の光学系により画像が走査露光され、ラインイメージセンサに読み込まれる。ラインイメージセンサにより光電変換されたアナログ信号は、制御手段において、アナログ処理、Ａ／Ｄ変換、シェーディング補正、画像圧縮処理等を行った後、画像データとして記憶手段に記憶される、又は露光装置３に入力される。
【００２１】
Ａ４は、装置の各種表示を行うＬＣＤからなる表示部とともに各種操作の入力が行われる入力手段である。ＬＣＤに重ねて配置されているタッチパネルの箇所をユーザが触れることにより操作指示の入力がなされる。
【００２２】
図２は、本身用紙Ｓ１の束に接着剤を塗布する工程を示す図である。
【００２３】
５０２は第一の挟持部材、５０３は第二の挟持部材であり、両部材により本身用紙Ｓ１の束の挟持を行う。６３は接着剤、６２は接着材を本身用紙Ｓ１の束の背部に塗布する塗布ローラである。次に図２に基づいて接着剤を塗布する工程を説明する。
【００２４】
移動手段であるモータＭ１によって第二の挟持部材５０３が本身用紙としての本身用紙Ｓ１に向けて移動し、第二の挟持部材５０３が本身用紙Ｓ１を一定の圧で押圧すると、モータＭ１の駆動トルクの増大を駆動トルク検知センサ（図示せず）で検知して第二の挟持部材５０３の移動が停止する。このような構成により本身用紙Ｓ１の束が第一の挟持部材５０２と第二の挟持部材５０３により強固に挟持されるのである。第二の挟持部材５０３の移動量、つまり位置はエンコーダ５０９により測定され、ＲＡＭ等の記憶手段に記憶される。本身用紙Ｓ１の束の厚みは第一の挟持部材５０２に対する第二の挟持部材５０３の位置から算出される。
【００２５】
本身用紙Ｓ１の束が第一の挟持部材５０２と第二の挟持部材５０３により挟持された段階で、受け板５０６が駆動機構（図示せず）により９０°回転して、図２（ｂ）に示すように退避する。受け板５０６が退避した段階では、本身用紙Ｓ１の束の下面ＳＡと塗布ローラ６２は接触していない（図２（ｃ）参照）。
【００２６】
次に図２（ｄ）に示すように、接着剤６３が収容されている塗布部６０が上昇して塗布ローラ６２が本身用紙Ｓ１の束の背部となる下面ＳＡに接触し、塗布部６０が本身用紙Ｓ１の束の下面ＳＡに沿って移動することによって、接着剤６３が本身用紙Ｓ１の束の下面ＳＡに塗布される。塗布ローラ６２はモータＭ２によって駆動される。
【００２７】
図３は、画像形成システムの制御ブロック図である。なお、同図では本実施形態の動作説明に必要な部分の周囲を中心に記載してあり、その他の画像形成システムとして既知の部分については省略してある。また以降の図においては説明の重複を避けるために、共通する部分は同一符号を付すことにより説明に代える。
【００２８】
１００ＡはＣＰＵでありプログラムに従って画像形成装置Ａの各種制御を実行する制御手段として機能する。１０１ＡはＲＯＭであり画像形成装置Ａを制御するためのプログラムやデータを含む各種プログラムやデータを記憶している。１０２ＡはＲＡＭでありＣＰＵ１００Ａによってワークエリアとして利用され、ＣＰＵ１００Ａが画像形成装置Ａの制御を実行する際に必要なプログラムやデータを一時的に記憶する。そして、ＣＰＵ１００Ａは、ＲＡＭ１０２Ａに展開されたプログラム及びデータに基づき、画像形成装置Ａの制御を実行する。
【００２９】
なお、ここでは、実施の形態に係るプログラムは、画像形成装置Ａあるいは製本装置Ｂに有しているもので説明するが、プログラムは、画像形成装置Ａではなく、画像形成装置ＡにＬＡＮ等のネットワークを経由して接続しているパソコンが有していても良く、パソコン側にあるプログラムをＬＡＮ等の通信媒体を介して画像形成装置ＡのＣＰＵが制御しても良い。
【００３０】
１０６Ａは記憶手段としての画像メモリである。画像読取手段Ａ３０は、入力手段Ａ４の入力に基づいて冊子状原稿を読み取って画像データを生成する。生成された画像データは、ＣＰＵ１００Ａにより処理が施され、画像メモリ１０６Ａに記憶される、又は画像形成手段Ａ１に出力される。画像形成手段Ａ１は、ＣＰＵ１００Ａにより処理が施された画像データに基づいて用紙上に画像形成を行う。給紙部７は、給紙カセット７Ａに収容されている本身用紙Ｓ１又は給紙カセット７Ｂに収容されている表紙用紙Ｓ２を画像形成手段Ａ１に向けて搬送する。入力手段Ａ４は、タッチパネル等で構成され、各種操作画面の表示や指示入力等が行われる。
【００３１】
１０４Ａは通信部であり、製本装置Ｂに接続され、製本装置Ｂとの間で各種データを送受信する。１０５Ａはバスであり、ＲＯＭ１０１Ａ、ＲＡＭ１０２Ａ、不揮発性メモリ１０３Ａ、画像読取手段Ａ３０、画像形成手段Ａ１、入力手段Ａ４、給紙部７、送信手段である通信部１０４Ａ等が相互に接続されている。
【００３２】
製本装置Ｂは、プログラムに従って製本装置Ｂの各種制御を実行するＣＰＵ１００Ｂを中心に、バス１０５Ｂにより、ＲＯＭ１０１Ｂ、ＲＡＭ１０２Ｂ、不揮発性メモリ１０３Ｂ、搬送部１０、接合部６０、断裁部７０、表紙収納部８０、及び通信部（受信手段）１０４Ｂ等が相互に接続されている。ＲＯＭ１０１Ｂは、各種プログラムやデータを記憶しており、ＣＰＵ１００Ｂがこれらプログラムやデータを利用して製本装置Ｂの制御を実行する。ＲＡＭ１０２Ｂは、ＣＰＵ１００Ｂによってワークエリアとして利用され、ＣＰＵ１００Ｂが制御を実行する際に必要なプログラムやデータを一時的に記憶する。通信部１０４Ｂは、画像形成装置Ａに接続され、画像形成装置Ａとの間で各種データを送受信する。
【００３３】
図４は、第一の実施形態に係る画像形成システムの動作を示すフローチャートである。まず、冊子状原稿の読み取りを実行する場合（ステップＳ１０のＹｅｓ）には、冊子状原稿の読み取り条件の設定を行う（ステップＳ１１）。続いて、くるみ綴じを行い、くるみ製本を出力する場合には（ステップＳ１２のＹｅｓ）、次いで製本装置の出力条件の設定を行う（ステップＳ１３）。
【００３４】
ステップＳ１３ではユーザが出力条件を設定しなくてもステップＳ１１での読み取り条件の設定に基づいて出力条件がプログラムを実行するＣＰＵ１００Ａにより自動的に決定される。
【００３５】
次いでステップＳ１１の設定した条件に基づいて冊子状原稿の読み取りを実行する（ステップＳ１４）。読み取った画像データはステップＳ１１、Ｓ１３で設定した冊子情報と関連づけて画像メモリ１０６Ａに記憶する。最後にステップＳ１４で読み込んだ画像データをステップＳ１３の出力条件に基づき画像形成装置Ａで画像形成を実行し、製本装置Ｂにくるみ製本処理がなされ、冊子が作成される（ステップＳ１５）。次に実際の設定する入力手順について表示画面の詳細図を参照しながら説明する。
【００３６】
図５〜図８は、入力手段Ａ４における表示画面の詳細図である。
【００３７】
図５は各種の表示及び操作を行う入力手段Ａ４の基本画面を示す。くるみ製本処理を実行する場合は、まず応用機能釦Ａ４１を押す。応用機能釦Ａ４１が押されると図６に示すように応用機能に関する設定画面が表示され、次に設定画面におけるページ連写釦Ａ４２を押す（ここまでがステップＳ１０に相当する）。
【００３８】
ページ連写釦Ａ４２が押されると、図７に示すように画像読取手段Ａ３０の読み取り条件を設定する入力手段Ａ４の設定画面が表示される。設定画面では、入力手段Ａ４のタッチパネルを操作することにより冊子状原稿の読み取り条件を設定する（ここまでがステップＳ１１に相当する）。図７に示す例はＡ４２１、Ａ４２２の釦が選択されており、「左とじ」の冊子状原稿を「オモテ／ウラ表紙＋見開き読取」の条件で冊子状原稿の読み取り条件が設定されていることを表している。なおこの設定ではオモテ表紙、ウラ表紙の表紙（外）原稿は見開き状態でない閉じた状態で１ページ毎の読み込を実行し、表紙（外）以外の原稿に対しては見開き読み取りを実行することを表している。なお「見開き読取」とは所謂「ページ連写機能」のことであり、２ページ分の見開き原稿を１回のスキャンで左右別々の２ページ分の画像データとして読み取りをする機能を意味する。
【００３９】
続いて、くるみ製本出力の設定を行う。後処理として製本装置Ｂを使用する場合には図７でくるみ綴じ釦Ａ４４を押す（ここまでがステップＳ１２に相当する）。なお同様のくるみ綴じ釦は図６の応用機能設定画面で後処理釦Ａ４３を押すことにより切り替わる設定画面（図示せず）でも選択可能である。
【００４０】
くるみ綴じ釦Ａ４４が押されると、図８に示すような製本装置の出力条件を設定する入力手段Ａ４の設定画面が表示される。ここで図８に示す様にＡ４４１からＡ４４４、Ａ４６ａの釦（図８でハッチングで示されている釦）はユーザが選択する前に既に設定（決定）されている。これは、例えばＲＯＭ１０１Ａに記憶されたプログラムに基づきＣＰＵ１００Ａが出力条件決定手段として機能し、出力条件決定手段が図７で設定されている読み取り条件の設定に基づいて出力条件を決定するからである（ここまでがステップＳ１３に相当）。
【００４１】
図９は、読み取り条件と出力条件との対応関係を表す図である。Ａ４２１からＡ４４４、Ａ４６は図７、図８の符号に対応している。読み取り条件Ａ４２１の綴じ方向の設定条件に基づいて出力条件のＡ４４３が決定され、Ａ４２２の設定条件に基づいてＡ４４１、Ａ４４２が決定される。
【００４２】
図８で出力条件の設定を行った後にＯＫ釦Ａ４４５を押し、図５の基本画面に戻る。図５の基本画面で読取条件の設定に応じて表示される表示画面の指示手順どおりに冊子状原稿を原稿台３１に載せ、図５の原稿読取釦Ａ４５を押すことで、冊子状原稿の読み取り（スキャン）が行われる（ステップＳ１４に相当）。
【００４３】
このように読み取り条件の設定に基づいて出力条件を決定することによりユーザによる出力条件の設定操作を省略することが可能となり、冊子状原稿の複写を行う場合に容易に原稿と同じ冊子を出力可能な画像形成システムを得ることが可能となる。
【００４４】
図１０は、第二の実施形態に係る画像形成システムの動作を示すフローチャートである。なお以下においては説明の重複を避けるために、図４のフローチャートと共通する部分は同一符号を付すことにより説明に代える。
【００４５】
ステップＳ１０からステップＳ１２で冊子状原稿の読み取り条件の設定等を行い、その後、ステップＳ２０で製本装置の出力条件の設定を行う。ステップＳ２０では図４のステップＳ１３と異なり出力条件は自動的には設定されずに、ユーザが出力条件の入力により設定が行われる。
【００４６】
続くステップＳ２１で読み取り条件と出力条件の整合性が判断される。整合性の判断は主に綴じ方向と、表紙印字（画像形成）の有無、また表紙を印字する場合の片面あるいは両面の印字面の選択である。ステップＳ１１で設定した読み取り条件は画像形成装置Ａの不揮発メモリ１０３Ａに記憶されており、ステップＳ２０で設定した製本装置Ｂの出力条件の設定は不揮発メモリ１０３Ｂに記憶されている。両方の条件に整合性があるか否かは、ＣＰＵ１００Ａ、１００Ｂ間で通信部１０４Ａ、１０４Ｂを通して判断する。整合性があると判断した場合（ステップＳ２１のＹｅｓ）にはステップＳ１４の冊子状原稿の読み取りを実行する。整合性がないと判断した場合（ステップＳ２１のＮｏ）には警告表示を行い（ステップＳ２２）ユーザに設定条件の変更を促す。
【００４７】
このように、読み取り条件の設定と前記出力条件の設定との整合性の有無を判断する整合性判断手段とを有することにより、冊子状原稿と同じ出力を得ることが目的となる場合に、間違った条件で、同一でない製本の出力を行うことを防止することが可能となる。更に整合性がないと判断した場合には警告表示を行うことによりユーザに設定条件の変更を促して正しい条件での出力が設定できるようになる。
【００４８】
なお、図１０では整合性がなくなるまで、以降のステップには進めない例について説明したが、これに限られず、整合性がない場合にはユーザに注意を喚起するが、ユーザの間違いではなくそれがユーザが意図する所である場合には、警告表示を取り消して以降のステップに進めるようにしてもよい。例えば冊子状原稿が左綴じであり、それに対して製本の出力を右綴じで実行したい等の意図がある場合である。
【００４９】
図１１は、第三の実施形態に係る画像形成システムの動作を示すフローチャートである。ステップＳ１０で冊子状原稿の読み取り、ステップＳ１２で製本装置による出力の実行を共に選択した後で、ステップＳ３０では冊子状原稿の読み取り条件と冊子の出力条件の設定を合わせて行う。
【００５０】
ステップＳ３０では、冊子の出力条件を考慮して、読み取り条件の設定を行う。くるみ製本処理を行う場合には、本身用紙Ｓ１の用紙サイズ（例えばＡ４サイズ）に対して表紙用紙Ｓ２の用紙サイズは２倍以上（例えばＡ３ノビ）となるのでそれぞれの用紙サイズに応じた読み取り条件の設定が可能となる。次に具体的な設定を行う例について表示画面を用いて説明をする。
【００５１】
図１２は、ページ連写とくるみ製本処理の両方を選択した場合に表示される入力手段Ａ４における表示画面の詳細図である。
【００５２】
図１２では冊子状原稿の読み取り条件及び画像形成装置Ａ、製本装置Ｂによる出力条件の設定を行う。ここでいう冊子情報とは、冊子のサイズ、綴じ方向、表紙の読み取りの有無、背表紙幅、表紙用紙Ｓ２の表紙サイズ、中身画像開始点、等を意味する。また見開きページ情報とは原稿が見開き状態の冊子状原稿であるか否かの情報と、読み取った順に応じて画像データに割り付けるページ数情報のことである。
図１２に示す例は、Ａ４２１、Ａ４５２の釦が選択されており、「左とじ」の冊子状原稿を「表紙全面読取＋見開き読取」の条件で冊子状原稿の読み取り条件が設定されていること表している。
【００５３】
図１１に戻って動作フローの説明を続ける。ステップＳ３１ではステップＳ３０で設定した条件に基づいて冊子状原稿の読み取りを行い、ステップＳ３２では読み取った画像データを冊子情報と関連づけて画像メモリ１０６Ａに記憶し、続くステップＳ３３では記憶した画像データに基づいて画像形成装置Ａ、製本装置Ｂによる冊子の作成を行う。これらの制御は、例えばＲＯＭ１０１Ａに記憶されたプログラムに基づきＣＰＵ１００Ａが実行する。次に説明図を用いて、ステップＳ３１からＳ３３までの説明の補足を行う。
【００５４】
図１３は、冊子状原稿の読み取りと表紙用紙Ｓ２、本身用紙Ｓ１との出力関係を示す説明図である。図１２に示すような読み取り条件および出力条件で条件設定が行われている場合の例である。
【００５５】
図１３（ａ）は冊子状原稿の読み取り手順を示す説明図である。同図に示す冊子状原稿はオモテ表紙（Ｆ）、ウラ表紙（Ｂ）とＮページの原稿からなっている。冊子状原稿を同図に示す様な見開き状態で原稿台３１に載せ、１＋Ｎ／２回のスキャンで画像読取手段Ａ３０により読み取りを行うことを示している。
【００５６】
図１３（ｂ）は読み取った画像データを冊子情報と関連づけて画像メモリ１０６Ａに記憶した状態を示す説明図である。符号４１は表紙用の画像データ、符号４２はその他の画像データである。１回目のスキャンでは図１２で設定した読み取り条件（冊子情報）の「表紙全面読取」の設定に基づいて、オモテ表紙Ｆとウラ表紙Ｂとを見開いた状態で全面読み取りを行い、１ページ画像として画像メモリ１０６Ａに記憶する。続いて２回目以降のスキャンでは読み取り条件（冊子情報）「左とじ」「見開き読み取り」の設定に基づいて見開いた冊子状原稿を左半分、右半分の２ページ分の画像データとして画像メモリ１０６Ａに記憶する。同図において、画像サイズは、例えば表紙画像データ４１はＡ３サイズであり、その他の画像データ４２は表紙画像データ４１の半分のＡ４サイズとなる。なお、上記見開き読み取りは、１回のスキャンで読み取った全面の画像データを左右２分割する方式であるが、他の方式として１回のユーザによる操作で画像読取手段Ａ３０を２回スキャンさせて、左半分、右半分を分けて読み取る方式であってもよい（ここまでがステップＳ３１、Ｓ３２に相当する）。
【００５７】
図１３（ｃ）は図１３（ｂ）の画像データに基づいて表紙用紙Ｓ２と本身用紙Ｓ１に画像形成を行った状態を示す説明図である。表紙用紙Ｓ２の外側５１には、４１の画像データに基づいて画像が形成される。表紙用紙Ｓ２の内側５２には、最初のページ１と最後のページＮの画像をあらかじめＡ３サイズの画像データとして合成しておき、その合成した画像データに基づいて画像形成される。そして本身用紙Ｓ１（符号５３）の両面にはページ２からＮ−１ページまでの画像データに基づいて画像が形成される。
【００５８】
製本装置Ｂでは、画像形成装置Ａにより図１３（ｃ）のとおりに画像が形成された本身用紙Ｓ１を複数枚束ねて用紙の束とし、当該束に表紙用紙Ｓ２を接合して表紙により用紙の束をコの字状に覆い、冊子を作成する（ここまでがステップＳ３３に相当する）。
【００５９】
なお上記の示す例では読み取り条件として「表紙全面読取」を設定した場合の例であり、「オモテ表紙／ウラ表紙」の設定とした場合には、オモテ表紙Ｆとウラ表紙Ｂがそれぞれ見開いていない閉じた状態で原稿台３１に載せて別々のＡ４サイズの画像データとして画像メモリ１０６Ａに記憶し、出力時には両者をＡ３サイズに合成した画像データに基づいて画像形成される。
【００６０】
次に、入力手段Ａ４から入力された冊子情報に基づいて冊子を作成する例について説明をする。
【００６１】
図１４は、中身画像開始点の設定と出力関係を示す説明図である。ここでいう中身画像とは表紙外側を除いたページの画像データを意味し、図１３において符号４２のページ１からページＮまでの画像データに対応する。中身画像開始点は図１２のＡ４６のいずれかの釦を選択することにより設定を行い、本設定により中身画像データの出力に対するページ配置の変更を行う。
【００６２】
初期状態での中身画像開始点の設定は図１２において「表紙（内）釦Ａ４６ａ」であり、その場合の表紙用紙Ｓ２、本身用紙Ｓ１への出力状態は図１４（ａ）に示すとおりである。「とびら釦Ａ４６ｂ」の設定では画像開始点はとびら（扉）、つまり本身用紙Ｓ１の１ページ目からとなり、出力状態は図１４（ｂ）に示すとおりである。「とびら（裏）釦Ａ４６ｃ」の設定では画像開始点はとびらの裏、つまり本身用紙Ｓ１の２ページ目からとなり、１ページ目は空の白紙となる。その際の出力状態は図１４（ｃ）に示すとおりである。
【００６３】
図１４（ａ）の出力状態では、読み取りを行った冊子状原稿と同一の出力が得られる。図１４（ｂ）、（ｃ）は表紙の内側に画像を形成したくない場合に選択を行い、更に図１４（ｃ）では本身用紙が冊子状原稿と表裏同一の出力が得られる。なおここでいう「とびら」とは所謂とびら紙のことであり、本身用紙Ｓ１の最初の１枚目の用紙を意味する。
【００６４】
このように入力手段Ａ４から入力された冊子情報としての中身画像開始点の設定に基づいて冊子を出力することにより表紙の内側に対して適正に画像を配置することが可能となる。
【００６５】
図１５は、厚み情報に基づいて表紙の全画面読み取りのサイズを決定する方式を示す説明図である。図１５（ａ）は冊子状原稿が横方向の長さはａで厚み情報つまり背表紙幅がｂのものである。図１５（ｂ）は（ａ）の冊子状原稿のサイズ情報と厚み情報に基づいて表紙の全画面読み取りの横方向読み取りサイズを２ａ＋ｂに決定し、その決定したサイズに基づいて読み取りを行った画像データを示している。例えば冊子状原稿のサイズがＡ４（横長さ２１０ｍｍ、縦長さ２９７ｍｍ）の場合にはａは２１０ｍｍとなり、背表紙幅ｂが１０ｍｍの場合には読み取りサイズは横長さ４３０ｍｍ、縦長さ２９７ｍｍとなる。
【００６６】
なおくるみ製本処理を行うためには、表紙サイズはこの読み取りサイズよりも大きなサイズを選択する必要がある。例えば表紙用紙Ｓ２としてサイズＡ３ノビを選択し、大きすぎて余る部分は断裁部７０により適正なサイズに断裁する方式がある。
【００６７】
なお背表紙幅ｂは図１２の背表紙幅釦４５６を押すことにより背表紙幅入力画面に切り替わり（図示せず）、その画面で数値入力することにより行う。なお背表紙幅を入力する他に、冊子状原稿の総ページ枚数の情報とあらかじめ入力しておいた用紙の厚み情報とにより計算により背表紙幅を決定するようにしてもよい。
【００６８】
このように入力手段から入力された冊子情報に基づいて冊子状原稿の表紙と本身の読み取りを行い、読み取った画像データを冊子情報と関連づけて前記記憶手段に記憶する制御手段とを有する画像形成システム及び画像形成システムを制御するプログラムとすることにより、冊子状原稿の複写を行う場合に容易に原稿と同じ冊子を出力可能な画像形成システム及び画像形成システムを制御するプログラムを得ることが可能となる。
【図面の簡単な説明】
【００６９】
【図１】画像形成システムの中央断面図である。
【図２】本身用紙Ｓ１の束に接着剤を塗布する工程を示す図である。
【図３】画像形成システムの制御ブロック図である。
【図４】第一の実施形態に係る画像形成システムの動作を示すフローチャートである。
【図５】入力手段Ａ４における表示画面の詳細図である。
【図６】入力手段Ａ４における表示画面の詳細図である。
【図７】入力手段Ａ４における表示画面の詳細図である。
【図８】入力手段Ａ４における表示画面の詳細図である。
【図９】読み取り条件と出力条件との対応関係を表す図である。
【図１０】第二の実施形態に係る画像形成システムの動作を示すフローチャートである。
【図１１】第三の実施形態に係る画像形成システムの動作を示すフローチャートである。
【図１２】入力手段Ａ４における表示画面の詳細図である。
【図１３】冊子状原稿の読み取りと表紙用紙Ｓ２、本身用紙Ｓ１との出力関係を示す説明図である。
【図１４】中身画像開始点の設定と出力関係を示す説明図である。
【図１５】厚み情報に基づいて表紙の全画面読み取りのサイズを決定する方式を示す説明図である。
【図１６】ページ連写機能を用いて読み取った冊子状原稿と画像データとの関係を示す説明図である。
【図１７】製本装置により形成された本の一例を示す図である。
【符号の説明】
【００７０】
Ａ  画像形成装置
Ｂ  製本装置
Ａ１  画像形成手段
Ａ３０  画像読取手段
Ａ３１  原稿台
Ａ４  入力手段
１００Ａ、１００Ｂ  ＣＰＵ
１０１Ａ、１０１Ｂ  ＲＯＭ
１０６Ａ  画像メモリ
Ｓ１  本身用紙
Ｓ２  表紙用紙
５０  集積部
【図１】
2008011024.tif 000003
【図２】
2008011024.tif 000004
【図３】
2008011024.tif 000005
【図４】
2008011024.tif 000006
【図５】
2008011024.tif 000007
【図６】
2008011024.tif 000008
【図７】
2008011024.tif 000009
【図８】
2008011024.tif 000010
【図９】
2008011024.tif 000011
【図１０】
2008011024.tif 000012
【図１１】
2008011024.tif 000013
【図１２】
2008011024.tif 000014
【図１３】
2008011024.tif 000015
【図１４】
2008011024.tif 000016
【図１５】
2008011024.tif 000017
【図１６】
2008011024.tif 000018
【図１７】
2008011024.tif 000019